(57)【特許請求の範囲】
【請求項１】
ＰＷＲ用原子燃料集合体の上部ノズルにおけるリーフスプリングの固定部において、リーフスプリング挿着用の横長直方体状角穴を、角穴開放端に対向する奥面を凸彎曲状に丸く形成して設けると共に、該角穴上部の穴をリーフスプリング挿着側が開放された溝状に形成してなることを特徴とする上部ノズルのリーフスプリングの固定部。
【請求項２】
ＰＷＲ用原子燃料集合体の上部ノズルにおけるリーフスプリングの固定部において、該固定部に加工前の状態から回転工具を用いた機械加工により、リーフスプリング挿着側が開放された溝加工を行い、ついで同じく回転工具を用いて、挿着側開放端に対向する奥面を凸彎曲状に丸くした横長直方体状の角穴形成加工を行うことを特徴とする上部ノズルのリーフスプリングの固定部加工方法。
【発明の詳細な説明】
【０００１】
【発明の属する技術分野】
本発明は加圧水原子炉（ＰＷＲ）用の原子燃料集合体に用いる上部ノズルにおけるリーフスプリング固定部の改良に関するものである。
【０００２】
【従来の技術】
ＰＷＲ原子燃料集合体は一般に多数の燃料棒を並列し、複数の制御棒案内管を混入して長さ方向に所要間隔をおいて複数の支持格子により支持せしめた燃料束部の上下に夫々上部ノズル，下部ノズルを固定することによって構成されているが、その上部ノズルには上部炉心板と当接することにより冷却水流により燃料集合体の浮き上がりを防止するリーフスプリングが四辺に取り付けられている。
【０００３】
この上部ノズルは図３に示すように多数の流水孔２と所要数のシンブル管接合孔３が穿設されたノズルプレート１の四周に側板４を立設することによって構成され、この側板４上部の凹部５に厚板材を曲げ加工して作ったリーフスプリング６をその基端を差し込み穴７（以下、挿着用角穴７と称する）に挿着し、ネジ等８で止着すると共に先端側はガイド部９を下方に延出して凹部５に設けられた差込み孔に挿入することによって取り付けられている。
【０００４】
そして、上記のリーフスプリング基端を挿着する角穴７は図４に示すように通常、その形状は直方体状となっており、その上に穴１１が設けられていると共に、角穴７の下にもネジ穴１０が穿設されている。
【０００５】
【発明が解決しようとする課題】
ところが、上記上部ノズルの角穴は上述の如く直方体状となっているため、加工に際し、ドリル等の回転工具では加工することができず、この直方体状の形を模した電極を用い、電気的に掘り進んでゆく放電加工により加工しなければならない。
しかし、この放電加工は、ドリルなどの機械加工と異なり、加工に多大の時間を要し、本加工では１ケ所あたり数時間が必要となる。
従って角穴は上部ノズル１体当たり４ケ所あるため、１体分でその４倍の時間を要することになる。
【０００６】
しかも、この長時間にわたる加工は全体の製造工程の中で律速工程となっているため、工期の短縮を行うためには放電加工の時間短縮は不可欠である。
本発明は上述の如き実状に対処し、放電加工をなくして機械加工により実施を可能とする角穴形状を見出すことにより、加工にかかる時間の短縮をはかり、上部ノズルのリーフスプリング固定を簡易化し、全体にわたる製造工期の大幅低減を達成することを目的とするものである。
【０００７】
【課題を解決するための手段】
即ち、上記目的に適合する本発明の特徴は、１つはＰＷＲ用原子燃料集合体の上部ノズルにおけるリーフスプリングの固定部において、リーフスプリング挿着用の横長直方体状角穴を角穴開放端に対向する奥面を彎曲状に丸く形成して設けると共に、該角穴上部の穴をリーフスプリング挿着側が開放された溝状に形成してなることを特徴とする。
【０００８】
請求項２に係る発明は、上記固定部を加工する方法であり、該固定部に先ず加工前の状態から回転工具を用いた機械加工により、リーフスプリング挿着側が開放された溝加工を行い、次いで同じく回転工具を用いて、挿着側開放端に対向する奥の面を丸くした横長直方体状の角穴を形成する加工を行うことにある。
【０００９】
【発明の実施の形態】
以下、更に本発明の具体的な態様を添付図面に示す実施例にもとづいて説明する。
【００１０】
図１は本発明に係る上部ノズルのリーフスプリング固定部の１例であり、上部ノズル側板４のコーナー部には、図３の如く夫々リーフスプリングの固定部Ａが形成されている。
図１はその１つの固定部Ａを示し、側板４より立設する固定部Ａに側板４側よりリーフスプリング基端を差し込み固定するための挿着用角穴７が横長直方体状に設けられており、その奥部は凸彎曲状の丸みａが与えられている。
そして、上記リーフスプリング挿着用角穴７の上部にはリーフスプリング挿入側が開放されたＵ字状の溝状部１２が上記挿着用角穴７に連続して形成されている。
なお、図中、１０は図３と同様、ネジ穴である。
【００１１】
図２（イ）（ロ）（ハ）は上記の如き挿着用角穴７と、その上部のＵ字状溝状部１２をもつ固定部Ａの加工方法を順序的に示しており、先ず、（イ）図に示す加工前の状態から機械加工により（ロ）図の如く前面が開放されたＵ字状溝状部１２を縦長に形成する溝加工を行い、次いでその後、第２段階として奥の形状を丸くした横長直方体状のリーフスプリング挿着用の角穴７をドリルの如き回転工具を用いて加工する。
その回転工具は、角穴の形状と同様に先端がＴ状の形をなしているものが好適である。
かくして機械加工により連続的に溝状部１２及びリーフスプリング挿着用角穴７の加工が実施可能となり、放電加工の必要がなく、加工時間は大幅に短縮される。
なお、角穴下部にあったネジ穴１０の加工は、上記加工後に行う。
【００１２】
上記本発明においては従来の角穴７上の穴１１が溝状部１２あるいは長穴に変わるが、この溝状部１２又は長穴はリーフスプリング固定ネジの頭部を収容するためのもので、溝状部又は長穴に代わっても機能，作用上の相異はない。即ちリーフスプリングはリーフスプリング固定ネジがネジ穴１０に確実に固定することにより保たれるので、全く変化はない。
【００１３】
本発明は上述の如くリーフスプリング固定部における横長直方体状角穴７の奥を凸彎曲状に丸く形成しているが、前述のＴ状の回転工具等で加工できる形であれば挿着されるリーフスプリングの先端形状に適合した形状とすることも可能である。
【００１４】
【発明の効果】
本発明は以上のようにＰＷＲ用原子燃料集合体の上部ノズルにおけるリーフスプリングの固定部におけるリーフスプリングの差し込み挿着部の奥部、即ち挿着側開放端に対向する奥の面 を凸彎曲状に丸くした横長直方体の角穴とすると共に、該角穴上部の穴をリーフスプリング挿着側が開放された溝状部に形成したものであり、リーフスプリング挿着時の差し込みが頗る容易であると共に上記の如く溝状部と、奥面を丸くした横長直法体状の穴によって構成されるから、回転工具を用いた機械加工により溝加工を行った後、同じく回転工具により加工が可能となり、従来行っていた放電加工ではノズル１本当たり４ケ所の加工時間が数〜十数時間に及んでいたが、上記本発明のように角穴形状の奥面が丸くなった形状とすることにより、この形状部分だけならば数十分で加工できるようになり、固定部全体として加工にかかる時間を従来に比し大幅に短縮することができる。
【図面の簡単な説明】
【図１】本発明に係るリーフスプリング固定部の１例を示す部分斜視図である。
【図２】本発明リーフスプリング固定部の加工順序を示す図で、（イ）は加工前、（ロ）は加工第１段階の溝加工、（ハ）は加工第２段階の挿着用角穴の加工を示す。
【図３】上部ノズルの構成を示す斜視図である。
【図４】従来のリーフスプリング挿着用角穴を含む固定部構造例である。
【符号の説明】
Ａ  リーフスプリング固定部
１  ノズルプレート
２  流水孔
３  シンブル管接合孔
４  側板
５  側板上部の凹部
６  リーフスプリング
７  リーフスプリング挿着用角穴
８  ネジ
９  ガイド部
１０  ネジ穴
１１  上部の穴
１２  溝状部
ａ  丸み
【図１】
0003626429.tif 000002
【図２】
0003626429.tif 000003
【図３】
0003626429.tif 000004
【図４】
0003626429.tif 000005